(57)【要約】      （修正有）【課題】端子台を複雑化したり大型化することなく、収容した回線の番号を容易に視認することを可能とする通信回路用端子台を提供する。【解決手段】逆止作用を有する板バネ状の電線押さえを導電板に圧接すると共に、押圧により電線押さえを押し拡げて圧接を解除するための合成樹脂製の解除杆を有する自己鎖錠式の複数個の端子部材を、各端子部材が収容される箇所が区画壁により区画されると共に、解除杆の頭部が貫通すべき窓を設けた天井部を有する鞘状の合成樹脂製の端子ユニット１０に収容し、この端子ユニットを合成樹脂製の筐体状の矩形の端子台本体１の上面に設けた凹部４に係脱自在に複数個収容する端子台において、本体上面の凹部の開口と本体の短手方向の側壁１Ｂとの間に、収容された端子ユニットの回線番号を表示するための表示部分２を設ける。【選択図】図１
0003162473.tif 000002
【実用新案登録請求の範囲】
【請求項１】
逆止作用を有する板バネ状の電線押さえを導電板に圧接すると共に、押圧により電線押さえを押し拡げて圧接を解除するための合成樹脂製の解除杆を有する自己鎖錠式の複数個の端子部材を、各端子部材が収容される箇所が区画壁により区画されると共に、解除杆の頭部が貫通すべき窓を設けた天井部を有する鞘状の合成樹脂製の端子ユニットに収容し、この端子ユニットを合成樹脂製の筐体状の矩形の端子台本体の上面に設けた凹部に係脱自在に複数個収容する端子台において、本体上面の凹部の開口と本体の短手方向の側壁との間に、収容された端子ユニットの回線番号を表示するための表示部分を設けたことを特徴とする通信回線用端子台。
【請求項２】
本体の上方を被蓋する着脱自在のカバーの裏面に、本体に収容した端子ユニットの回線番号を表示するための表示部分を設けるとともに、端子台の配列番号を表示するための表示部分を設けたことを特徴とする請求項１記載の通信回線用端子台。
【考案の詳細な説明】
【技術分野】
【０００１】
この考案は、通信回線の配線に使用するための端子台に関し、より詳細には端子台を複雑化したり大型化することなく、収容した回線の番号を容易に視認することを可能とした作業性のよい端子台に関する。
【背景技術】
【０００２】
電話回線等の通信回線の宅内配線において、多数の電線を接続するために複数の端子を有する端子台が従来公知であり、例えば外線に対して内線を接続する場合等に使用されている。
【０００３】
この種の端子台としては、逆止作用を有する板バネ状の電線押さえを導電板に圧接すると共に、押圧により電線押さえを押し拡げて圧接を解除するための合成樹脂製の解除杆を有する自己鎖錠式の複数個の端子部材を、各端子部材が収容される箇所が区画壁により区画されると共に、解除杆の頭部が貫通すべき窓を設けた天井部を有する鞘状の合成樹脂製の端子ユニットに収容し、この端子ユニットを合成樹脂製の筐体状の本体上面に設けた凹部に係脱自在に複数個収容するとともに、本体は取り付けのためのベース体に収容される端子台が公知である（特許文献１）。また、逆止作用を有する板バネ状の電線押さえを導電板に圧接すると共に、押圧により電線押さえを押し拡げて圧接を解除するための合成樹脂製の解除杆を有する自己鎖錠式の複数個の端子部材を、各端子部材が収容される箇所が区画壁により区画されると共に、解除杆の頭部が貫通すべき窓を設けた天井部を有する鞘状の合成樹脂製の端子ユニットに収容し、この端子ユニットを合成樹脂製の筐体状の本体上面に設けた凹部に係脱自在に複数個収容される端子台が公知である（非特許文献１）。
【０００４】
一方、通信機能を備えたコンピュータ等の各種の情報通信機器や新たな回線網の普及により宅内配線で扱う端末機器数や回線数は増加の一途を辿っている。そのため、端子台が収容する回線数も増大し、複雑化し、迅速な作業を行なうに際し収容した回線を正確に把握することが不可欠となる。
【０００５】
そこで、前記の公知発明においては収容された端子ユニットの回線番号を示す示名条片を用意し、この示名条片を端子台の本体上に着脱自在としている。
【先行技術文献】
【特許文献】
【０００６】
【特許文献１】特許第２９４５６０７号公報
【非特許文献１】全国通信用機器材工業協同組合Ｎ１０端子板インターネットカタログ（http://www.zentsukyo.or.jp/products/user/n10tanshiban/index.html）
【考案の概要】
【考案が解決しようとする課題】
【０００７】
しかしながら、特許文献１に記載の端子台の場合、端子台を取り付ける際、カバー、示名条片、本体の３パーツを取り外すため、作業性が良くないという問題があった。同様に非特許文献２に記載の端子台の場合も、端子台を取り付ける際、カバー、示名条片の２パーツを取り外すため、作業性が良くないという問題があった。
【０００８】
また、いずれの端子台も複数の端子台を並べて設置して使用する際、通常、カバーと番号等の情報を表示する示名条片はすべて取り外して電線を接続するが、接続後特に保守のときは示名条片と本体（ベース体も含む）が別パーツのため、示名条片を元の位置へ戻せない恐れがあるという問題があった。
【０００９】
ところで、近年光配線の普及に伴い、従来の端子台設置スペースに光接続機器も設置されるようになり、端子台の設置スペースが縮小されているため、端子台について接続方式は変えずに小型化を図り、狭隘なスペースでも設置可能な端子台、また配線盤の奥行きが有効活用できる端子台を提供することが望まれている。そのため、示名条片も小型化せざるを得ず、表示できる情報量に限りが生じる問題が生じた。
【００１０】
この考案は前記の従来技術の問題点に鑑みて創作されたものであり、逆止作用を有する板バネ状の電線押さえを導電板に圧接すると共に、押圧により電線押さえを押し拡げて圧接を解除するための合成樹脂製の解除杆を有する自己鎖錠式の複数個の端子部材を、各端子部材が収容される箇所が区画壁により区画されると共に、解除杆の頭部が貫通すべき窓を設けた天井部を有する鞘状の合成樹脂製の端子ユニットに収容し、この端子ユニットを合成樹脂製の筐体状の矩形の端子台本体の上面に設けた凹部に係脱自在に複数個収容する端子台において、本体上面の凹部の開口と本体の短手方向の側壁との間に、収容された端子ユニットの回線番号を表示するための表示部分を設けたことを特徴とする。
【００１１】
また、ここでは第２考案として、前記の考案において本体の上方を被蓋する着脱自在のカバーの裏面に、本体に収容した端子ユニットの回線番号を表示するための表示部分を設けるとともに、端子台の配列番号を表示するための表示部分を設けたことを特徴とする通信回線用端子台も開示する。
【考案の効果】
【００１２】
以上の構成からなるこの考案の通信回線用端子台によれば、本体へ回線番号等の情報を表示するスペースを設けたことにより、端子台を取り付けるときは、カバーのみを取り外せば良く、また示名条片がないため、示名条片を元に戻す作業がなくなり、さらに作業性が良くなる。
【００１３】
また、情報を表示するスペースは本体の上方、すなわち、各回線の端子ユニットの上方でなく、端子ユニットが収容される本体上面の凹部の開口と本体の短手方向の側壁との間に設けられるので、端子ユニットから露出する端子部材と近接して表示を行なうことが可能となり見間違えのおそれがない。
【００１４】
一方、第２考案によれば、カバーの内面に番号等の情報を表示するスペースを設けたことにより、本体の記入スペースに表示しきれない場合、カバー内面に表示することができるので、端子台を小型化しても充分な表示面積を確保することができる。また、カバー内面には、番号等の情報を表示するスペース以外に配列番号等を表示するスペースを設けているので、その記入スペースに端子台の配列番号等を表示することにより取り違えることなくカバーを元の位置へ戻すことができる。
【図面の簡単な説明】
【００１５】
【図１】この考案の通信回線用端子台のカバーおよび端子ユニットの一部を外した状態の斜視図。
【図２】この考案の通信回線用端子台のカバーを外した状態の斜視図。
【図３】この考案の通信回線用端子台の斜視図。
【図４】この考案の通信回線用端子台のカバーを外した状態の平面図。
【図５】この考案の通信回線用端子台の端子ユニットの斜視図。
【図６】この考案の通信回線用端子台の端子ユニットの端子部材の斜視図。
【図７】この考案の通信回線用端子台の端子ユニットの底面から観察した分解斜視図。
【図８】この考案の通信回線用端子台の端子ユニットの端子部材の挿入途中の断面図。
【図９】この考案の通信回線用端子台の端子ユニットの断面図。
【図１０】この考案の通信回線用端子台の蓋部を外した状態の断面図。
【図１１】この考案の通信回線用端子台の端子ユニット付近の断面図。
【図１２】この考案の通信回線用端子台の端子ユニットの挿入途中の断面図。
【図１３】この考案の通信回線用端子台のカバーの底面図。
【図１４】この考案の通信回線用端子台の底面から観察した斜視図。
【図１５】この考案の通信回線用端子台のマグネットを設けた状態の底面から観察した斜視図。
【図１６】この考案の通信回線用端子台の結束バンドを挿通した状態の斜視図。
【図１７】この考案の通信回線用端子台の連結方法を示すカバーを外した状態の平面図。
【図１８】この考案の通信回線用端子台のセンターマークの使用方法を示すカバーを外した状態の斜視図。
【考案を実施するための形態】
【００１６】
以下、この考案の端子台の具体的実施例を添付図面に基づいて説明する。図１および図２はこの考案の端子台の全体を示す図である。この端子台は合成樹脂製の筐体状の矩形の本体１と、それに着脱自在に収容される合成樹脂製の端子ユニット１０と、本体の上方を被蓋する着脱自在のカバー７０から構成される。
【００１７】
上記の端子ユニット１０には後記する端子部材２０が複数個収容される。図５〜図９は、この端子ユニット１０および端子部材２０の詳細を示す図である。端子ユニット１０は上端を解除杆の頭部が貫通すべき窓を設けた天井部に、下端を開放の鞘状に構成されるものであり、さらに区画壁１４により各端子部材２０が収容される鞘状の空間１０Ａおよび１０Ｂが厚み方向に形成される（図７〜図９参照）。上記区画壁１４の下端には後記する本体１の凹部４への収容のためのテーパー状の突条１４Ａが突設される。
【００１８】
そして、各端子部材２０はこの鞘状の空間１０Ａおよび１０Ｂに収容され、後記するその解除杆４０の頭部が端子ユニット１０の天井部に設けた窓１３より露出される。
【００１９】
一方、本体１の上面には各端子ユニット１０を収容するための凹部４が設けられる。そして、この凹部４の底面には前記した端子ユニット１０の区画壁１４の下端のテーパー状のテーパー状の突条１４Ａを挿入するための長溝４Ａが所要数設けられる（図１１および図１２参照）。
【００２０】
前記従来技術においては、凹部の底面に突設した突状に端子ユニットの区画壁の下端の長溝を外挿する構成となっている。従って、区画壁の下端の厚みはそれ相応にあり、端子部材を端子ユニットに収容する場合に挿入が難しく、組立性がよくなかったが、区画壁１４の下端の厚みはテーパー状が薄くなっている前記の構成とすることにより挿入しやすくなった。また、前記の長溝４Ａに端子ユニットの区画壁１４の下端のテーパー状の突条１４Ａが挿入されることにより、回線のプラス側端子とマイナス側端子の距離（沿面距離）が確保される。
【００２１】
なお、図中符号１１および１２は、収容された端子ユニット１０を本体１に固定するために端子ユニット１０の全幅側両端に突設される係合腕であり、端子ユニット１０の収容時に先端が端子ユニットの凹部４の全幅側両側壁に設けられる係合窓５および６に係合される（図１０参照）。
【００２２】
前記の端子ユニット１０に収容される端子部材２０はこの実施例では次の構造を採用している。この端子部材２０は所謂ワンタッチ式と呼ばれる自己鎖錠式の構造を有し、金属板等の導電性素材よりなるホルダーに板バネ状の電線押さえおよび解除杆を設けた構成よりなる（図５および図６参照）。
【００２３】
図中符号３０は電線押さえであり、ここでは板バネを互いに逆方向に湾曲した上下の湾曲部３１および３２の連続よりなるＳ字状に屈曲し、さらに上方の湾曲部３１端をＳ字の外側下方に向かって傾斜する直線部に延長してその端部を接触端部とすると共に、下方の湾曲部３２端を上方に起立するよう延長した形状としている。
【００２４】
図中符号２１は上記の電線押さえ３０が設けられる金属板よりなるホルダーであり、ここでは３つの電線押さえ３０を設けることにより３連の端子を構成している（図６参照）。このホルダー２１においては、各電線押さえ３０の収容箇所の側方に起立片２３を設けると共に、下端にも起立片２２を設けている。そして、電線押さえ３０は上方の湾曲部３１の直線部および接触端部が、下方の湾曲部の左右が起立片２３、２３に当接されるとともに、下方が起立片２２に当接した状態で、ホルダー２１の各起立片間に挟持される。
【００２５】
次に、図中符号４０はホルダー２１に対して進退自在に設けられる合成樹脂製の解除杆である。図中符号４１はその端部により電線押さえ３０を押圧するためのシャフトである。図中符号４３は電線が貫通可能な電線通路であり、解除杆４０の頭部よりホルダー２１の起立片２３と電線押さえ３０の接触端部間に向かって設けられる。
【００２６】
以上の構成より、電線を解除杆４０の頭部より電線通路４３内に挿入してそのまま下方に進行させれば、電線はこの通路４３によりガイドされつつホルダー２１の起立片２３と電線押さえ３０の接触端部間に挿入されることとなり、電線押さえの逆刃作用により接触端部が電線に食い込んで引き抜き方向には離脱できなくなる。尚、この場合電線は更に進行させることにより電線押さえ３０の下方の湾曲部３２の側方とホルダー２１の起立片２３間に挿入され、上記の接触端部間と併せて２点で接触することになる。
【００２７】
そして、挿入された上記の電線は、例えばドライバー等により解除杆４０を押し下げることにより、電線押さえ３１が押圧されて接触端部がホルダー２１の起立片２３より離れて、引き抜き方向に離脱できることとなる。
【００２８】
以上の端子部材２０において、ホルダー２１内に収容された電線押さえ３０および解除杆４０は片面のみが支持され、残る片面は開放されているが、これらを収容した状態で端子部材２０を端子ユニット１０の鞘状の空間１０Ａ或いは１０Ｂに収容することにより、残る片面も端子ユニット１０の内壁により支持されることとなる（図８参照）。
【００２９】
図中符号２は端子台に収容された端子ユニットの回線番号を表示するための表示部分である。この表示部分は本体上面の凹部４の開口と本体１の短手方向の側壁１Ａとの間に設けられる。この場合、回線番号などの表示Ｌ１はこの図面に示すように予め施してもよいし、あるいは使用者において必要に応じて施してもよいことは勿論である。
【００３０】
図１３はカバー７０の裏面を示す図である。第２考案においてはここに本体に収容した端子ユニットの回線番号を表示するための表示部分７１を設けるとともに、端子台の配列番号を表示するための表示部分７２を設けている。
【００３１】
前記のカバー７０は前後から垂設した前方壁７３Ａ、後方壁７３Ｂを端子台の本体１の前方壁、後方壁のそれぞれ上端に設けた段部３Ａ、３Ｂに嵌め合わせることにより本体に被蓋されるが、この実施例においては前方壁７３Ａの下端に切欠き７４を設けるともに、本体の前方壁の対応位置に上記切欠きが外嵌される突起３を突設している。従って、カバー７０を前後逆向きに被蓋しようとすると前記突起３が当接して嵌め合いを行なうことができず、カバーが前後逆向きに被蓋されることが防止される。
【００３２】
図中符号５０は端子台１を被設置面に固定するためのネジ孔であり、ここでは端子台の前後方向２箇所に設けている。この実施例では上記ネジ孔５０を左右（端子台の短手方向）に遊び代を持たせた長孔状としている。こうすることにより、仮にネジ位置が前後で左右にずれていても、遊び代を利用して端子台を左右に回転させたり移動させることにより端子台を正確な位置および角度に補正することが可能となる。
【００３３】
図中符号５１、５１と５２、５２は端子台を被設置面の所定位置に位置合わせするためのセンターマークである。このセンターマークは端子台の本体１の左右両側壁の下端の対称箇所に設けられる切欠き５１、５１と本体の前後壁の対称箇所に設けられる上下方向の突条５２、５２からなるものであり（図１４参照）、図１８に示すように被設置面Ｇに記した横方向のラインＸと縦方向のラインＹと合致させることにより位置合わせを容易に行なうことができる。
【００３４】
図中符号５３は端子台の本体１の裏面に設けられるマグネットの収容スペースであり、磁力により端子台を被設置面に設ける場合に両面粘着テープを用いてここにマグネットＭを固定する（図１４〜図１５参照）。この場合、端子台の廃棄時にはリサイクルのためにマグネットを取り外さなければならないが、粘着力をもって固定されたマグネットを外す作業は困難である。そこで、この実施例においては前記収容スペース５３の一端に凹部５４を凹設し、ここにドライバーＤなどの先端をこじ入れることを可能として剥がしやすくしている。
【００３５】
図中符号５５、５５と５６、５６は端子台同士を連結する際に使用する連結ガイドである。この連結ガイドは端子台の本体１の前方壁の左右に凹設される上下方向の一対の長溝５５、５５と、これに対応する本体の後方壁の左右に突設される上下方向の一対の突条５６、５６からなるものであり、図１７に示すように端子台を前後方向（壁などの垂直な被設置面に取り付ける場合は上下方向）に連結して設ける場合に、前後（上下）の連結ガイド同士を嵌め合わせることにより連結状態で設置することが容易となる。
【００３６】
図中符号５７は端子台を結束バンドＢをもって固定する際に使用する結束バンド取り付け穴である。この結束バンド取り付け穴５７は端子台の本体１の左右両側壁の四隅の各１箇所に設けられるものであり、側壁の外部で貫通する２つの穴から構成することにより結束バンドＢを挿通可能としている（図１６参照）。
【符号の説明】
【００３７】
１      （端子台の）本体
２      （回線番号を表示するための）表示部分
１０    端子ユニット
２０    端子部材
７０    カバー
７１    （回線番号を表示するための）表示部分
７２    （端子台の配列番号を表示するための）表示部分
【図１】
0003162473.tif 000003
【図２】
0003162473.tif 000004
【図３】
0003162473.tif 000005
【図４】
0003162473.tif 000006
【図５】
0003162473.tif 000007
【図６】
0003162473.tif 000008
【図７】
0003162473.tif 000009
【図８】
0003162473.tif 000010
【図９】
0003162473.tif 000011
【図１０】
0003162473.tif 000012
【図１１】
0003162473.tif 000013
【図１２】
0003162473.tif 000014
【図１３】
0003162473.tif 000015
【図１４】
0003162473.tif 000016
【図１５】
0003162473.tif 000017
【図１６】
0003162473.tif 000018
【図１７】
0003162473.tif 000019
【図１８】
0003162473.tif 000020